(57)【要約】【課題】プラグを挿入した状態で、プラグ挿入モードおよびプラグ非挿入モードを切り替え可能な音響プラグを提供することである。【解決手段】本発明における音響プラグ１００は、ジャック７００に挿入した状態で、ジャック７００に挿入させたと認知させるモードと、ジャック７００に挿入されていないと認知させるモードと、を切替る切替モードを含むものである。この場合、プラグを取り外す必要がないため、プラグを取り外して紛失することを防止することができる。【選択図】図１
2018157598.tif 000002
【特許請求の範囲】
【請求項１】
機器に挿入した状態で、前記機器にプラグを挿入させたと認知させるモードと、前記機器に前記プラグが挿入されていないと認知させるモードと、を切替る切替モードと、向き表示部を含む、音響プラグ。
【請求項２】
前記向き表示部は、前記プラグを挿入した状態の向きを表示する、請求項１に記載の音響プラグ。
【請求項３】
前記向き表示部は、前記プラグの軸心から周方向外側へ向けて突出して形成されたつまみ部を含む、請求項１に記載の音響プラグ。
【請求項４】
前記切替モードは、メカニカルシステムおよび電気的システムの少なくとも一方からなる、請求項１から３のいずれか１項に記載の音響プラグ。
【請求項５】
前記メカニカルシステムは、プラグの先端が軸心から偏芯形成された、請求項４に記載の音響プラグ。
【請求項６】
前記メカニカルシステムは、前記プラグの先端の一部を周方向に凹凸切替機構を設けた、請求項４または５に記載の音響プラグ。
【請求項７】
機器に挿入した状態で、前記機器にプラグを挿入させたと認知させるモードと、前記機器に前記プラグが挿入されていないと認知させるモードと、を切替る切替モードを含み、
前記切替モードは、メカニカルシステムからなり、
前記メカニカルシステムは、前記プラグの先端部を軸方向に移動する凹凸変化機構を設けた、音響プラグ。
【請求項８】
前記メカニカルシステムは、前記プラグの軸方向にＧＮＤ部とマイク信号部とが交互に配設された、請求項４から７のいずれか１項に記載の音響プラグ。
【請求項９】
前記メカニカルシステムは、左音声信号部、右音声信号部、ＧＮＤ部、マイク信号部、絶縁部および操作部を有し、
前記左音声信号部、前記右音声信号部、前記ＧＮＤ部、前記マイク信号部、前記絶縁部のいずれか１つが伸縮性部材から形成され、前記操作部の操作により変形する、請求項４から８のいずれか１項に記載の音響プラグ。
【請求項１０】
前記メカニカルシステムは、左音声信号部、右音声信号部、ＧＮＤ部、マイク信号部、絶縁部および操作部を有し、
前記左音声信号部、前記右音声信号部、前記ＧＮＤ部、前記マイク信号部、前記絶縁部の少なくともいずれか１つが軸心をずらす機構を有し、前記操作部の回転操作により軸心がずらされる、請求項４から８のいずれか１項に記載の音響プラグ。
【請求項１１】
前記電気的システムは、前記プラグの先端部の一部に絶縁部を設けた、請求項４に記載の音響プラグ。
【発明の詳細な説明】
【技術分野】
【０００１】
本発明は、機器に接続される音響プラグに関する。
【背景技術】
【０００２】
機器に対して音響プラグが標準装備されている。例えば、音響プラグの一例としてイヤホン端子がある。近年、当該イヤホン端子を利用した機器などの開発が進められている。
【０００３】
例えば、特許文献１（特開２０１０−１３６３８８号公報）には、携帯端末の音声入力、出力などのジャック端子をディジタルカメラの接続端子、ＵＳＢケーブル等のデータ通信ケーブルの入力端子等に流用することにより専用端子を設ける必要がない携帯情報端末用ディジタルカメラ並びに携帯情報端末接続ディジタルカメラ装置について開示されている。
【０００４】
特許文献１の携帯情報端末用ディジタルカメラは、ジャック端子を備える携帯情報端末に接続する携帯情報端末用ディジタルカメラにおいて、前記ジャック端子に着脱可能なプラグを有するディジタルカメラ本体と、音声回路と画像回路との切り替えを行う切替部とを有し、前記ジャック端子に前記プラグが差し込まれて電気的に接続された場合に、前記ディジタルカメラ本体が、画像信号を前記プラグと前記ジャック端子とを介して前記携帯情報端末に送信するものである。
【０００５】
また、特許文献２（特開２０１３−５１６２６号公報）には、ノイズキャンセリング機能を有する耳孔挿入型のイヤホン装置において、コード上ハウジング部に電池ボックスが形成された従来構成を見直し、装着感や音響性能の優れたイヤホン装置について開示されている。
【０００６】
特許文献２記載のイヤホン装置は、ノイズキャンセリング機能を有する耳孔挿入型のイヤホン装置であって、Ｌチャンネル音を放音するＬチャンネル側ドライバユニットが収納されるＬチャンネル側ハウジング部と、Ｒチャンネル音を放音するＲチャンネル側ドライバユニットが収納されるＲチャンネル側ハウジング部とを備え、双方の上記ハウジング部に、少なくともノイズキャンセリング用のマイクロフォン及び電池がそれぞれ収納されているものである。
【先行技術文献】
【特許文献】
【０００７】
【特許文献１】特開２０１０−１３６３８８号公報
【特許文献２】特開２０１３−５１６２６号公報
【発明の開示】
【発明が解決しようとする課題】
【０００８】
以上のように、特許文献１の専用端子を設ける必要がない携帯情報端末用ディジタルカメラにおいては、容易にカメラをイヤホンジャックに接続することができる。
また、特許文献２のノイズキャンセリング機能を有する耳孔挿入型のイヤホン装置においては、装着感や音響性能を優れたものにすることができると記載されている。
【０００９】
しかしながら、各種の機器におけるジャックは、小型化しており、当然音響プラグも小型化している。特に音響プラグが、イヤホン等と無線で通信するようになってきており、イヤホンケーブルが無い場合には、さらに小型化している。そのため、音響プラグを外すと紛失の可能性が高まる。
【００１０】
本発明の目的は、プラグを挿入した状態で、プラグ挿入モードおよびプラグ非挿入モードを切り替え可能な音響プラグを提供することである。
【課題を解決するための手段】
【００１１】
（１）
一局面に従う音響プラグは、機器に挿入した状態で、機器にプラグを挿入させたと認知させるモードと、機器にプラグが挿入されていないと認知させるモードと、を切替る切替モードを含むものである。
【００１２】
この場合、音響プラグは、プラグが挿入されたと認知させるモードと、プラグが挿入されていないと認知させるモードとを切替ることができる。その結果、プラグを機器に挿入した状態で、機器にプラグを挿入していない状態であると認知させることができる。
【００１３】
例えば、従来音楽を再生させる場合には、プラグを挿入し、通話によるマイクおよびスピーカとして機能させる場合に、プラグを取り外す必要があったが、プラグは、小型であるため、紛失する可能性が高いという問題があった。
しかしながら、本発明にかかる音響プラグは、プラグの挿入口（プラグジャック）に挿入させた状態で、プラグが挿入されていないと認知させることができるので、音響プラグの紛失を防止することができる。
【００１４】
（２）
第２の発明にかかる音響プラグは、一局面に従う音響プラグにおいて、切替モードは、メカニカルシステムおよび電気的システムの少なくとも一方からなってもよい。
【００１５】
この場合、切替モードは、メカニカルシステムおよび電気的システムの少なくとも一方からなるので、メカニカルシステムにおいては、機構的に確実に切替ることができ、電気的システムにおいては、容易に切替ることができる。
【００１６】
（３）
第３の発明にかかる音響プラグは、第２の発明にかかる音響プラグにおいて、メカニカルシステムは、プラグの先端が軸心から偏芯形成されてもよい。
【００１７】
この場合、プラグの先端が軸心から偏芯形成されているので、機器の挿入口の奥側に設けられたメカニカルな挿入認識部分に当該プラグを差し込んだ状態で、偏芯形成された部分が、当該挿入認識部分に接触させる場合と、当該挿入認識部分に接触させない場合とを容易に切替ることができる。
【００１８】
（４）
第４の発明にかかる音響プラグは、第２または第３の発明にかかる音響プラグにおいて、メカニカルシステムは、プラグの先端に周方向に凹凸切替機構を設けてもよい。
【００１９】
この場合、プラグの先端の周方向に、凹凸切替機構が設けられているので、機器の挿入口の奥側に設けられたメカニカルな挿入認識部分に当該プラグを差し込んだ状態で、凸状態に切替ることにより当該挿入認識部分に接触させる場合と、凹状態に切替ることにより当該挿入認識部分に接触させない場合とを容易に切替ることができる。
【００２０】
（５）
第５の発明にかかる音響プラグは、第２から第４の発明にかかる音響プラグにおいて、メカニカルシステムは、プラグの先端部に軸方向に凹凸変化機構を設けてもよい。
【００２１】
この場合、プラグの先端部に軸方向に凹凸変化機構が設けられているので、機器の挿入口の奥側に設けられたメカニカルな挿入認識部分に当該プラグを差し込んだ状態で、凸状態に変化させることにより当該挿入認識部分に接触させる場合と、凹状態に変化させることにより当該挿入認識部分に接触させない場合とを容易に切替ることができる。
【００２２】
（６）
第６の発明にかかる音響プラグは、第２の発明から第５の発明にかかる音響プラグにおいて、メカニカルシステムは、プラグの軸方向にＧＮＤ部とマイク信号部とが交互に配設されてもよい。
【００２３】
この場合、プラグの軸方向に、ＧＮＤ部とマイク信号部とが交互に配設されているので、ＣＴＩＡおよびＯＭＴＰの両方のタイプに対応することができる。
【００２４】
（７）
第７の発明にかかる音響プラグは、第２の発明から第６の発明にかかる音響プラグにおいて、メカニカルシステムは、左音声信号部、右音声信号部、ＧＮＤ部、マイク信号部、絶縁部および操作部を有し、左音声信号部、右音声信号部、ＧＮＤ部、マイク信号部、絶縁部のいずれか１つが伸縮性部材から形成され、操作部の操作により変形してもよい。
【００２５】
この場合、左音声信号部、右音声信号部、ＧＮＤ部、マイク信号部、絶縁部のいずれか１つが伸縮性部材から形成されるので、伸縮性部材が操作部により変形するため、音響プラグとジャックの内壁との摩擦を高めることができる。
その結果、操作部にアクセサリ等を取付けた場合、抜出防止を実現することができる。
【００２６】
（８）
第８の発明にかかる音響プラグは、第２から第６の発明にかかる音響プラグにおいて、メカニカルシステムは、左音声信号部、右音声信号部、ＧＮＤ部、マイク信号部、絶縁部および操作部を有し、左音声信号部、右音声信号部、ＧＮＤ部、マイク信号部、絶縁部の少なくともいずれか１つが軸心をずらす機構を有し、操作部の回転操作により軸心がずらされてもよい。
【００２７】
この場合、左音声信号部、右音声信号部、ＧＮＤ部、マイク信号部、絶縁部のいずれか１つが軸心をずらす機構を有するので、操作部の回転操作により軸心がずらされ、音響プラグとジャックの内壁との摩擦を高めることができる。
その結果、操作部にアクセサリ等を取付けた場合、抜出防止を実現することができる。
【００２８】
（９）
第９の発明にかかる音響プラグは、第２の発明にかかる音響プラグにおいて、電気的システムは、プラグの先端部の一部に絶縁部を設けてもよい。
【００２９】
この場合、プラグの先端部の一部に絶縁部が設けられているので、機器の挿入口の奥側に設けられた電気的な挿入認識部分に当該プラグを差し込んだ状態で、絶縁部を当該挿入認識部分に接触させる場合と、導通部を当該挿入認識部分に接触させない場合とを容易に切替ることができる。
【００３０】
（１０）
他の局面に従う音響プラグは、機器に挿入した状態で、機器にプラグを挿入させたと認知させるモードと、機器にプラグが挿入されていないと認知させるモードと、を切替る切替モードを有し、切り替えモードのメカニカルシステムは、左音声信号部、右音声信号部、ＧＮＤ部、マイク信号部、絶縁部および操作部を有し、左音声信号部、右音声信号部、ＧＮＤ部、マイク信号部、絶縁部のいずれか１つが伸縮性部材から形成され、操作部の操作により変形してもよい。
【００３１】
この場合、左音声信号部、右音声信号部、ＧＮＤ部、マイク信号部、絶縁部のいずれか１つが伸縮性部材から形成されるので、伸縮性部材が操作部により変形するため、音響プラグとジャックの内壁との摩擦を高めることができる。
その結果、操作部にアクセサリ等を取付けた場合、抜出防止を実現することができる。
【００３２】
（１１）
さらに他の局面に従う音響プラグは、機器に挿入した状態で、機器にプラグを挿入させたと認知させるモードと、機器にプラグが挿入されていないと認知させるモードと、を切替る切替モードを有し、切り替えモードのメカニカルシステムは、左音声信号部、右音声信号部、ＧＮＤ部、マイク信号部、絶縁部および操作部を有し、左音声信号部、右音声信号部、ＧＮＤ部、マイク信号部、絶縁部の少なくともいずれか１つが軸心をずらす機構を有し、操作部の回転操作により軸心がずらされてもよい。
【００３３】
この場合、左音声信号部、右音声信号部、ＧＮＤ部、マイク信号部、絶縁部のいずれか１つが軸心をずらす機構を有するので、操作部の回転操作により軸心がずらされ、音響プラグとジャックの内壁との摩擦を高めることができる。
その結果、操作部にアクセサリ等を取付けた場合、抜出防止を実現することができる。
【図面の簡単な説明】
【００３４】
【図１】本実施の形態にかかる音響プラグの一例を示す模式的平面図である。
【図２】音響プラグの一部を示す模式的斜視図である。
【図３】図２の音響プラグの模式的側面図である。
【図４】図２の音響プラグの模式的平面図である。
【図５】音響プラグをジャックに差し込んだ断面状態を示す模式的説明図である。
【図６】音響プラグをジャックに差し込んだ断面状態を示す模式的説明図である。
【図７】音響プラグの一例を示す模式的斜視図である。
【図８】音響プラグの凹凸機構を説明するための説明図である。
【図９】音響プラグの凹凸機構を説明するための説明図である。
【図１０】音響プラグの一例を示す模式的斜視図である。
【図１１】音響プラグの一例を示す模式的斜視図である。
【図１２】音響プラグの一例を示す模式的斜視図である。
【図１３】音響プラグの模式的側面図である。
【図１４】音響プラグの模式的斜視図である。
【図１５】音響プラグのＡ−Ａ断面の模式的説明図である。
【図１６】音響プラグのＢ−Ｂ断面の模式的説明図である。
【図１７】音響プラグの模式的平面図である。
【図１８】音響プラグの模式的側面図である。
【図１９】音響プラグの模式的平面図である。
【図２０】音響プラグの模式的平面図である。
【図２１】音響プラグの状態変化時の模式的平面図である。
【図２２】音響プラグのさらに状態変化された場合の模式的平面図である。
【図２３】音響プラグの模式的平面図である。
【図２４】音響プラグの状態変化時の模式的平面図である。
【図２５】音響プラグのさらに状態変化された場合の模式的平面図である。
【図２６】音響プラグの模式的平面図である。
【図２７】音響プラグの状態変化時の模式的平面図である。
【発明を実施するための形態】
【００３５】
以下、本発明に係る実施の形態について図面を用いて説明する。以下の説明では、同一の部品には同一の符号を付してある。それらの名称および機能も同じである。したがって、それらについての詳細な説明は繰り返さない。
【００３６】
（一実施の形態）
図１は、本実施の形態にかかる音響プラグ１００の一例を示す模式的平面図である。図２は、音響プラグ１００の一部を示す模式的斜視図であり、図３は、図２の音響プラグ１００の模式的側面図であり、図４は、図２の音響プラグ１００の模式的平面図である。
【００３７】
図１に示すように、音響プラグ１００は、左音声信号部１１０、右音声信号部１２０、ＧＮＤ部１３０、マイク信号部１４０、向き表示部１４１、ツマミ部１４３、アクセサリ部１４２および絶縁部１５０を含む。
向き表示部１４１は、後述する音響プラグ１００をジャック７００に挿入した状態の向きを表示するものである。また、ツマミ部１４３は、音響プラグ１００の軸を中心に回転させるものである。さらに、アクセサリ部１４２は、各種機器または装置を有するものである。
【００３８】
次に、図２から図４においては、音響プラグ１００の一部である左音声信号部１１０、右音声信号部１２０、ＧＮＤ部１３０、マイク信号部１４０および絶縁部１５０を抽出し、説明を行う。
【００３９】
図２，〜，図４に示すように、絶縁部１５０は、左音声信号部１１０および右音声信号部１２０の間、右音声信号部１２０およびＧＮＤ部１３０の間、ＧＮＤ部１３０およびマイク信号部１４０の間に形成される。
【００４０】
また、図２，〜，図４に示すように、左音声信号部１１０は、右音声信号部１２０、ＧＮＤ部１３０、マイク信号部１４０、および絶縁部１５０の軸心ＰＪに対して、偏心して形成される。
すなわち、従来から形成されている湾曲面１１１、１１３との間に突出部１１２が形成され、軸心ＰＪに対して、面１１４が形成されるよう、湾曲面１１１、１１３および突出部１１２と反対側に湾曲面１１１、１１３および突出部１１２が削りとられた状態である。
【００４１】
次に、図５および図６は、図１から図４に示した音響プラグ１００をジャック７００に差し込んだ断面状態を示す模式的説明図である。
【００４２】
図５および図６に示すように、ジャック７００は、端子ライン７１０，７１１，７２０，７３０，７４０が形成されている。また、端子ライン７１０および端子ライン７１１との間には、接点７１２が形成されている。
【００４３】
図５に示すように、音響プラグ１００がジャック７００に挿入され、ツマミ部１４３が鉛直上方向に配設されている場合、端子ライン７１０が左音声信号部１１０により鉛直下方向に押され、端子ライン７１１との接点７１２が離間される。この場合、端子ライン７１０が左音声信号部１１０と接触される。
また、端子ライン７２０が右音声信号部１２０と接触され、端子ライン７３０がＧＮＤ部１３０と接触され、端子ライン７４０がマイク信号部１４０と接触される。
【００４４】
また、図６に示すように、音響プラグ１００がジャック７００に挿入され、ツマミ部１４３が鉛直下方へ回転されて配設されている場合、左音声信号部１１０が偏心されているので、端子ライン７１０が左音声信号部１１０から離間し、端子ライン７１０および端子ライン７１１の接点７１２が接触される。
また、端子ライン７２０が右音声信号部１２０と接触され、端子ライン７３０がＧＮＤ部１３０と接触され、端子ライン７４０がマイク信号部１４０と接触される。
【００４５】
この場合、音響プラグ１００をジャック７００に挿入した状態であっても、図６に示すように、左音声信号部１１０が端子ライン７１０と物理的に接触されていないため、端子ライン７１０および端子ライン７１１の接点７１２が接触され、端子ライン７１０，７１２とがショートしている。その結果、音響プラグ１００が挿入されているにも関わらず、端子ライン７１０と接点７１２とがショートしているため、ジャック７００は、音響プラグ１００が挿入されていないと判定することができる。
【００４６】
（他の例）
次に、図１から図６までの音響プラグ１００の他の例について説明する。以下においては、図２から図４において説明したように、音響プラグ１００の一部について説明を行う。
【００４７】
図７、図８および図９は、図２から図４に示した音響プラグ１００の他の例を示す模式図である。図７は、音響プラグ１００ａの一例を示す模式的斜視図であり、図８および図９は、音響プラグ１００ａの凹凸機構１１３ａを説明するための説明図である。
【００４８】
以下、図７に示すように、音響プラグ１００ａにおいて、図２から図４の音響プラグ１００と異なる点について説明する。
【００４９】
図７の音響プラグ１００ａは、左音声信号部１１０の代わりに、左音声信号部１１０ａが形成されている。左音声信号部１１０ａは、従来の左音声信号部１１０ａに対して、凹凸部を有する凹凸機構１１３ａが形成されている。
凹凸機構１１３ａは、操作部１４５を矢印Ｐ１の方向に移動させることにより、凹凸機構１１３ａは、矢印Ｐ２の方向に移動する。逆に、凹凸機構１１３ａは、操作部１４５を矢印Ｐ１と逆の方向に移動させることにより、凹凸機構１１３ａは、矢印Ｐ２と逆の方向に移動する。
【００５０】
図８に示すように、凹凸機構１１３ａが、矢印Ｐ２の方向に移動した場合、図５で示したように、左音声信号部１１０ａが端子ライン７１０に接触し、接点７１２が離間する。
また、図９で示したように、凹凸機構１１３ａが、矢印Ｐ２と逆方向に移動した場合、図６で示したように、左音声信号部１１０ａが端子ライン７１０と離間し、接点７１２が接触する。
【００５１】
なお、操作部１４５は、ツマミ部１４３、アクセサリ部１４２と連設されていてもよく、別個に設けられてもよく、軸方向に伸縮させる場合のみでなく、回転させてもよい。
【００５２】
（さらに他の例）
次いで、図１０および図１１は、音響プラグ１００の他の例を示す模式図である。図１０および図１１は、音響プラグ１００ｂの一例を示す模式的斜視図である。
【００５３】
以下、図１０および図１１に示すように、音響プラグ１００ｂにおいて、図２から図４の音響プラグ１００，１００ａと異なる点について説明する。音響プラグ１００ｂは、球状からなる左音声信号部１１０ｂを有する。
音響プラグ１００ｂにおいては、操作部１４５を矢印Ｐ１の方向に移動させることにより、左音声信号部１１０ｂは、矢印Ｐ３の方向に移動する。逆に、左音声信号部１１０ｂは、操作部１４５を矢印Ｐ１と逆の方向に移動させることにより、左音声信号部１１０ｂは、矢印Ｐ３と逆の方向に移動する。
【００５４】
また、図１０に示すように、左音声信号部１１０ｂが矢印Ｐ３の方向に移動した場合、図６で示したように、左音声信号部１１０ｂが端子ライン７１０と離間し、接点７１２が接触し、左音声信号部１１０ｂが矢印Ｐ３と逆方向に移動した場合、図５で示したように、左音声信号部１１０ｂが端子ライン７１０に接触し、接点７１２が離間する。
【００５５】
（さらに他の例）
次いで、図１２、図１３および図１４は、音響プラグ１００の他の例を示す模式図である。図１２は、音響プラグ１００ｃの一例を示す模式的斜視図であり、図１３は、音響プラグ１００ｃの模式的側面図である。
【００５６】
図１２および図１３に示すように、音響プラグ１００ｃが、音響プラグ１００，１００ａ，１００ｂと異なる点について説明する。
音響プラグ１００ｃは、左音声信号部１１０ｃおよび右音声信号部１２０を有し、さらに複数のＧＮＤ部１３０ｃ、複数のマイク信号部１４０ｃおよび絶縁部１５０，１５０ｃを有する。
【００５７】
図１２および図１３に示すように、複数のＧＮＤ部１３０ｃおよび複数のマイク信号部１４０ｃは、９０度で分割して交互に配設される。また、一のＧＮＤ部１３０ｃの全周囲に、マイク信号部１４０ｃが隣接配置される。また、一のマイク信号部１４０ｃの全周囲に、ＧＮＤ部１３０ｃが隣接配置される。また、ＧＮＤ部１３０ｃとマイク信号部１４０ｃとの間に絶縁部１５０ｃが設けられる。その結果、ＧＮＤ部１３０ｃとマイク信号部１４０ｃとが交互に配設される。
【００５８】
その結果、ＧＮＤ部１３０ｃおよびマイク信号部１４０ｃとが交互配置されているため、ＣＴＩＡ（Ｃｅｌｌｕｌａｒ  Ｔｅｌｅｐｈｏｎｅ  Ｉｎｄｕｓｔｒｙ  Ａｓｓｏｃｉａｔｉｏｎ）およびＯＭＴＰ（Ｏｐｅｎ  Ｍｏｂｉｌｅ  Ｔｅｒｍｉｎａｌ  Ｐｌａｔｆｏｒｍ）のいずれのタイプであっても、接続することができる。
【００５９】
続いて、図１４は、音響プラグ１００ｄの模式的斜視図であり、図１５は、音響プラグ１００ｄのＡ−Ａ断面の模式的説明図であり、図１６は、音響プラグ１００ｄのＢ−Ｂ断面の模式的説明図である。
【００６０】
図１４に示すように、音響プラグ１００ｄは、左音声信号部１１０ｄ、右音声信号部１２０を有し、さらに複数のＧＮＤ部１３０ｄ、複数のマイク信号部１４０ｄ、絶縁部１５０，１５０ｄおよび樹脂部１６０ｄを有する。
【００６１】
また、図１５に示すように、Ａ−Ａ断面においては、ＧＮＤ部１３０ｄ、マイク信号部１４０ｄ、複数の樹脂部１６０ｄが９０度で分割して交互に配設される。
【００６２】
さらに、図１６に示すように、Ｂ−Ｂ断面においては、マイク信号部１４０ｄ、ＧＮＤ部１３０ｄ、複数の樹脂部１６０ｄが９０度で分割して交互に配設される。なお、図１５および図１６に示すように、軸方向にマイク信号部１４０ｄおよびＧＮＤ部１３０ｄが交互に配設される。なお、ＧＮＤ部１３０ｄおよびマイク信号部１４０ｄの間には、絶縁部１５０ｄが配設される。
【００６３】
その結果、ＧＮＤ部１３０ｄおよびマイク信号部１４０ｄとが交互配置されているため、ＣＴＩＡ（Ｃｅｌｌｕｌａｒ  Ｔｅｌｅｐｈｏｎｅ  Ｉｎｄｕｓｔｒｙ  Ａｓｓｏｃｉａｔｉｏｎ）およびＯＭＴＰ（Ｏｐｅｎ  Ｍｏｂｉｌｅ  Ｔｅｒｍｉｎａｌ  Ｐｌａｔｆｏｒｍ）のいずれのタイプであっても、接続することができ、さらに、ＧＮＤ部１３０ｄおよびマイク信号部１４０ｄが不要の場合に、複数の樹脂部１６０ｄが端子ライン７３０，７４０と接触し、電気的導通がなくなるため、マイク出力をカットすることができる。
【００６４】
なお、図１２から図１６に示した音響プラグ１００ｃ，１００ｄにおいて、左音声信号部１１０ｃ，１１０ｄの代わりに、図１から図４に示した偏心した左音声信号部１１０を設けてもよい。
【００６５】
（さらに他の例）
図１７から図１９は、音響プラグ１００のさらに他の例である。図１７は、音響プラグ１００ｅの模式的平面図を示し、図１８は、音響プラグ１００ｅの模式的側面図を示す。また、図１９は、音響プラグ１００ｆの模式的平面図を示す。
【００６６】
音響プラグ１００ｅは、図１に示した音響プラグ１００に、さらに、挿入保護部１７０、アクセサリ部１７１、ツマミ部１７５および孔部１８０を含む。
この結果、音響プラグ１００ｅは、ツマミ部１７５により回転させることができるとともに、挿入方向を容易に認識することができる。
また、音響プラグ１００ｆは、キャラクターカバー固定用突起１７７が設けられている。その結果、キャラクターカバー固定用突起１７７に弾性体からなるキャラクターカバーを挿入し、固定することができる。
また、音響プラグ１００ｆにおいては、挿入保護部１７０またはキャラクターカバー固定用突起１７７を多角形または楕円形、円形のいずれかで形成してもよい。その場合、キャラクターカバーを取り付けた場合、音響プラグ１００ｆの方向を容易に確認することができる。
【００６７】
（さらに他の例）
図２０から図２２は、音響プラグ１００のさらに他の例である。図２０は、音響プラグ１００ｇの模式的平面図を示し、図２１は音響プラグ１００ｇの状態変化時の模式的平面図を示し、図２２は、音響プラグ１００ｇのさらに状態変化された場合の模式的平面図を示す。
【００６８】
図２０から図２２に示す音響プラグ１００ｇは、伝導性伸縮素材からなる左音声信号部１１０ｇからなる。当該左音声信号部１１０ｇは、操作部１４５の操作により変形する。
【００６９】
具体的には、図２０に示すように、ジャック７００に音響プラグ１００ｇが挿入された場合、左音声信号部１１０ｇは物理的に端子ライン７１０と接触せず、接点７１２が接触している状態となる。
次に、図２１に示すように、操作部１４５を矢印Ｐ１の方向に移動させた場合、伝導性伸縮素材からなる左音声信号部１１０ｇが変形し、端子ライン７１０と接触し、接点７１２が離間する。
【００７０】
その結果、左音声信号部１１０ｇが端子ライン７１０と導通する。
さらに、図２２に示すように、操作部１４５をさらに矢印Ｐ１の方向に移動させた場合、伝導性伸縮素材からなる左音声信号部１１０ｇが変形し、ジャック７００の穴部の内壁に接触し、音響プラグ１００ｇとジャック７００との摩擦が高まり、抜出し難くなる。
【００７１】
なお、図２０、図２１または図２２に示す各状態を維持または保持することができるラッチ機構またはラッチ構造を別途設けてもよい。
【００７２】
（さらに他の例）
図２３から図２５は、音響プラグ１００のさらに他の例である。図２３は、音響プラグ１００ｈの模式的平面図を示し、図２４は音響プラグ１００ｈの状態変化時の模式的平面図を示し、図２５は、音響プラグ１００ｈのさらに状態変化された場合の模式的平面図を示す。
【００７３】
図２３から図２５に示す音響プラグ１００ｈは、伝導性伸縮素材からなる右音声信号部１２０ｈからなる。当該右音声信号部１２０ｈは、操作部１４５の操作により変形する。
【００７４】
具体的には、図２３に示すように、ジャック７００に音響プラグ１００ｈが挿入され、操作部１４５が矢印Ｐ１の方向に引き出される前においては、右音声信号部１２０ｈは、変形しない。
次に、図２４に示すように、ジャック７００に音響プラグ１００ｈが挿入され、操作部１４５が矢印Ｐ１の方向に引き出された場合、右音声信号部１２０ｈが軸から外周方向へ変形する。その結果、ジャック７００の穴部の内壁に接触し、音響プラグ１００ｈとジャック７００との摩擦が高まり、抜出し難くなる。
【００７５】
さらに、図２５に示すように、操作部１４５をさらに矢印Ｐ１の方向に移動させた場合、伝導性伸縮素材からなる右音声信号部１２０ｈが変形し、ジャック７００の穴部の内壁に接触し、音響プラグ１００ｈとジャック７００との摩擦が高まり、さらに抜出し難くなる。
【００７６】
なお、上記の説明においては、右音声信号部１２０ｈを伝導性伸縮素材からなることとしているが、これに限定されず、絶縁部１５０を非伝導伸縮素材から形成してもよく、ＧＮＤ部１３０およびマイク信号部１４０を伝導性伸縮素材から形成してもよい。
【００７７】
また、図２３、図２４、または図２５に示す各状態を維持または保持することができるラッチ機構またはラッチ構造を別途設けてもよい。
【００７８】
（さらに他の例）
図２６および図２７は、音響プラグ１００のさらに他の例である。図２６は、音響プラグ１００ｊの模式的平面図を示し、図２７は音響プラグ１００ｊの状態変化時の模式的平面図を示す。
【００７９】
図２６および図２７に示すように、音響プラグ１００ｊは、右音声信号部１２０ｊ、ＧＮＤ部１３０ｊ、およびマイク信号部１４０ｊを含む。右音声信号部１２０ｊ、ＧＮＤ部１３０ｊ、およびマイク信号部１４０ｊは、操作部１４５を矢印Ｒ１の方向に回転させることにより、個々に異なる方向へ軸心を移動させる。
【００８０】
具体的に、図２６および図２７に示すように、音響プラグ１００ｊは、操作部１４５を矢印Ｒ１の方向に回転させることにより、右音声信号部１２０ｊ、およびマイク信号部１４０ｊが鉛直上方向に移動し、ＧＮＤ部１３０ｊが鉛直下方向に移動する。
その結果、ジャック７００の穴部の内壁に接触し、音響プラグ１００ｊとジャック７００との摩擦が高まり、抜出し難くなる。
【００８１】
また、上記の説明においては、右音声信号部１２０ｊ、ＧＮＤ部１３０ｊ、およびマイク信号部１４０ｊの軸心が移動することとしたが、これに限定されず、右音声信号部１２０ｊ、ＧＮＤ部１３０ｊ、およびマイク信号部１４０ｊのうち１または２つの軸心を移動させることとしてもよく、鉛直上方向および鉛直下方向の代わりに、水平方向および鉛直方向としてもよい。
【００８２】
また、操作部１４５について説明したが、これに限定されず、操作部１４５にケーブルまたはアクセサリ等を取付けてもよい。この場合、ケーブルまたはアクセサリ等を取付けた場合の落下防止構造を形成することができる。
さらに、操作部１４５を矢印Ｒ１の方向に回転させることしているが、これに限定されず、押し込みのノック式操作部であってもよい。
【００８３】
さらに、上記の実施の形態においては、マイク信号部１４０，〜，１４０ｊとしたが、これに限定されず、ノイズキャンセラー用のマイク信号部をさらに設けてもよく、マイク信号部１４０，〜，１４０ｊを左右それぞれのマイク信号部に分割して配設してもよい。
【００８４】
また、本実施の形態において音響プラグ１００，１００ａ，〜，１００ｊについて説明を行ったが、これに限定されず、音響に関するプラグ以外のプラグに適用することもできる。
【００８５】
また、図２６、または図２７に示す各状態を維持または保持することができるラッチ機構またはラッチ構造を別途設けてもよい。
【００８６】
なお、図５または図６のように、左音声信号部１１０の回転により端子ライン７１０が左音声信号部１１０と接触または離間する構成とした場合、ユーザがツマミ部１４３を回転させた場合、左音声信号部１１０が回転する。端子ライン７１０が左音声信号部１１０と接触した状態から離間した状態へ変化することにより、ユーザは、回転に要する力の変化によってユーザが判別しやすいという効果がある。
また、左音声信号部１１０の端部に凹凸をつけて、左音声信号部１１０と接触した状態から離間した状態へ変化する際に、クリック感を生じるようにしてもよい。
【００８７】
以上のように、本発明にかかる音響プラグ１００，１００ａ，〜，１００ｊは、プラグが挿入されたと認知させるモードと、プラグが挿入されていないと認知させるモードとを切替ることができる。その結果、音響プラグ１００を機器に挿入した状態で、機器に音響プラグ１００を挿入していない状態であると認知させることができる。音響プラグ１００は、ジャック７００に挿入させた状態で、音響プラグ１００が挿入されていないと認知させることができるので、音響プラグ１００の紛失を防止することができる。
【００８８】
また、音響プラグ１００ｇ，１００ｈにおいては、伝導伸縮性部材を有するので、音響プラグ１００ｇ，１００ｈとジャック７００の内壁との摩擦を高めることができる。その結果、ジャック７００からプラグ１００ｇ，１００ｈの抜出防止を実現することができる。
また、音響プラグ１００ｊは、軸心をずらす機構を有するので、同様に、抜出防止を実現することができる。
【００８９】
本発明にかかる音響プラグは、図５の状態が、挿入させたと認知させるモードに相当し、図６の状態が、挿入されていないと認知させるモードに相当し、左音声信号部１１０が、切替モードに相当し、音響プラグ１００，１００ａ，〜，１００ｊが音響プラグに相当し、左音声信号部１１０が、偏芯形成されたメカニカルシステムに相当し、凹凸機構１１３ａが周方向の凹凸切替機構に相当し、左音声信号部１１０ｂが軸方向に凹凸変化機構に相当し、ＧＮＤ部１３０，１３０ｃがＧＮＤ部に相当し、マイク信号部１４０，１４０ｃ，１４０ｄ，１４０ｊがマイク信号部に相当し、左音声信号部１１０，１１０ａ，１１０ｂ，１１０ｃ，１１０ｄ，１１０ｇが左音声信号部に相当し、右音声信号部１２０，１２０ｊ，１２０ｈが右音声信号部に相当し、絶縁部１５０，１５０ｃ，１５０ｄが絶縁部に相当し、操作部１４５が操作部に相当し、左音声信号部１１０ｇ，右音声信号部１２０ｈが伸縮性部材に相当し、右音声信号部１２０ｊ，１３０ｊ、マイク信号部１４０ｊが軸心をずらす機構に相当する。
【００９０】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００９１】
１００，１００ａ，〜，１００ｊ  音響プラグ
１１０，１１０ａ，１１０ｂ，１１０ｃ，１１０ｄ，１１０ｇ  左音声信号部
１１０ｂ  左音声信号部
１１３ａ  凹凸機構
１２０，１２０ｈ，１２０ｊ  右音声信号部
１３０，１３０ｃ，１３０ｊ  ＧＮＤ部
１４０，１４０ｃ，１４０ｄ，１４０ｊ  マイク信号部
１４５  操作部
１５０，１５０ｃ，１５０ｄ  絶縁部
【図１】
2018157598.tif 000003
【図２】
2018157598.tif 000004
【図３】
2018157598.tif 000005
【図４】
2018157598.tif 000006
【図５】
2018157598.tif 000007
【図６】
2018157598.tif 000008
【図７】
2018157598.tif 000009
【図８】
2018157598.tif 000010
【図９】
2018157598.tif 000011
【図１０】
2018157598.tif 000012
【図１１】
2018157598.tif 000013
【図１２】
2018157598.tif 000014
【図１３】
2018157598.tif 000015
【図１４】
2018157598.tif 000016
【図１５】
2018157598.tif 000017
【図１６】
2018157598.tif 000018
【図１７】
2018157598.tif 000019
【図１８】
2018157598.tif 000020
【図１９】
2018157598.tif 000021
【図２０】
2018157598.tif 000022
【図２１】
2018157598.tif 000023
【図２２】
2018157598.tif 000024
【図２３】
2018157598.tif 000025
【図２４】
2018157598.tif 000026
【図２５】
2018157598.tif 000027
【図２６】
2018157598.tif 000028
【図２７】
2018157598.tif 000029